(57)【要約】    【課題】  バックアップ処理に伴うユーザにとっての作業の煩わしさを解消するようにするとともに、複数の記録媒体間の記録情報の同一化を容易に実現することを図る。    【解決手段】  複数の記録媒体を装着可能な撮像装置において、記録媒体関連情報処理部７３が、所定の記録媒体が他の記録媒体と関連することを示す関連付け情報を前記所定の記録媒体に格納する。システム制御回路５０が、撮像装置に装着された第１および第２の記録媒体２００，２１０から関連付け情報をそれぞれ取得し、記録媒体関連情報処理部７３が、取得された２つの関連付け情報に基づき、第１の記録媒体と第２の記録媒体とが関連付けられているか否かを判別する。関連付けられていると判別されたならば、記録媒体同調処理部７４が、第１の記録媒体に記録された記録情報と前記第２の記録媒体に記録された記録情報とを同一化する。【選択図】      図１
2006345417.tif 000002
【特許請求の範囲】
【請求項１】
複数の記録媒体を装着可能な撮像装置において、
所定の記録媒体が他の記録媒体と関連することを示す関連付け情報を前記所定の記録媒体に格納する格納手段と、
前記撮像装置に装着された第１および第２の記録媒体から関連付け情報をそれぞれ取得する取得手段と、
前記取得手段によって取得された２つの関連付け情報に基づき、前記第１の記録媒体と前記第２の記録媒体とが関連付けられているか否かを判別する判別手段と、
前記判別手段によって関連付けられていると判別されたならば、前記第１の記録媒体に記録された記録情報と前記第２の記録媒体に記録された記録情報とを同一化する同一化手段と
を有することを特徴とする撮像装置。
【請求項２】
前記関連付け情報は、前記所定の記録媒体と前記他の記録媒体とが同一の記録情報をそれぞれ保持すべき関係にあることを示す情報であることを特徴とする請求項１記載の撮像装置。
【請求項３】
前記同一化手段は、
前記判別手段によって関連付けられていると判別されたならば、前記第１の記録媒体に記録された第１の記録情報と前記第２の記録媒体に記録された第２の記録情報とを比較し、相違点を検出する検出手段と、
前記検出手段によって検出された相違点を表示する相違点表示手段と、
前記相違点表示手段によって表示された相違点に基づいてユーザが指示した内容に従い、同一化情報を作成する作成手段と、
前記作成手段によって作成された同一化情報を前記第１の記録媒体または前記第２の記録媒体に上書きする上書手段と
を含むことを特徴とする請求項１記載の撮像装置。
【請求項４】
複数の同一化方法を表示する同一化方法表示手段を更に有し、
前記作成手段は、前記同一化方法表示手段によって表示された複数の同一化方法からユーザによって選択された１つに従い、前記同一化情報を作成することを特徴とする請求項３記載の撮像装置。
【請求項５】
前記作成手段は、前記検出手段によって検出された相違点の全部または一部に対して同一化を行い、前記同一化情報を作成することを特徴とする請求項３記載の撮像装置。
【請求項６】
前記作成手段は、前記第１の記録媒体または前記第２の記録媒体に記録された記録情報のディレクトリ構造を構成する部分単位で前記同一化情報を作成することを特徴とする請求項５記載の撮像装置。
【請求項７】
前記作成手段は、前記第１の記録媒体または前記第２の記録媒体に書き込み禁止情報が記録されている場合に、該書き込み禁止情報を同一化の対象にしてよいか否かを示すユーザ指示に従い、前記同一化情報を作成することを特徴とする請求項３記載の撮像装置。
【請求項８】
前記格納手段は、
前記所定の記録媒体の記憶容量と前記他の記録媒体の記憶容量とが同一であるか否かを判別する容量判別手段と、
前記容量判別手段によって同一であると判別されたならば、前記所定の記録媒体と前記他の記録媒体とが関連することを示す関連付け情報を前記所定の記録媒体に格納する関連付情報格納手段と
を含むことを特徴とする請求項１記載の撮像装置。
【請求項９】
前記格納手段は、
前記容量判別手段によって同一でないと判別されたならば警告を発生する警告発生手段を更に含むことを特徴とする請求項８記載の撮像装置。
【請求項１０】
複数の記録媒体を装着可能な撮像装置に適用される情報バックアップ方法において、
所定の記録媒体が他の記録媒体と関連することを示す関連付け情報を前記所定の記録媒体に格納する格納ステップと、
前記撮像装置に装着された第１および第２の記録媒体から関連付け情報をそれぞれ取得する取得ステップと、
前記取得ステップにおいて取得された２つの関連付け情報に基づき、前記第１の記録媒体と前記第２の記録媒体とが関連付けられているか否かを判別する判別ステップと、
前記判別ステップによって関連付けられていると判別されたならば、前記第１の記録媒体に記録された記録情報と前記第２の記録媒体に記録された記録情報とを同一化する同一化ステップと
を有することを特徴とする情報バックアップ方法。
【請求項１１】
前記同一化ステップは、
前記判別ステップにおいて関連付けられていると判別されたならば、前記第１の記録媒体に記録された第１の記録情報と前記第２の記録媒体に記録された第２の記録情報とを比較し、相違点を検出する検出ステップと、
前記検出ステップにおいて検出された相違点を表示装置に表示させる相違点表示ステップと、
前記相違点表示ステップにおいて前記表示装置に表示された相違点に基づいてユーザが指示した内容に従い、同一化情報を作成する作成ステップと、
前記作成ステップにおいて作成された同一化情報を前記第１の記録媒体または前記第２の記録媒体に上書きする上書ステップと
を含むことを特徴とする請求項１０記載の情報バックアップ方法。
【請求項１２】
複数の同一化方法を前記表示装置に表示させる同一化方法表示ステップを更に有し、
前記作成ステップでは、前記同一化方法表示ステップにおいて前記表示装置に表示された複数の同一化方法からユーザによって選択された１つに従い、前記同一化情報を作成することを特徴とする請求項１１記載の情報バックアップ方法。
【請求項１３】
前記作成ステップでは、前記検出ステップにおいて検出された相違点の全部または一部に対して同一化を行い、前記同一化情報を作成することを特徴とする請求項１１記載の情報バックアップ方法。
【請求項１４】
前記格納ステップは、
前記所定の記録媒体の記憶容量と前記他の記録媒体の記憶容量とが同一であるか否かを判別する容量判別ステップと、
前記容量判別ステップにおいて同一であると判別されたならば、前記所定の記録媒体と前記他の記録媒体とが関連することを示す関連付け情報を前記所定の記録媒体に格納する関連付情報格納ステップと
を含むことを特徴とする請求項１０記載の情報バックアップ方法。
【請求項１５】
複数の記録媒体を装着可能な撮像装置に適用される情報バックアップ方法を、コンピュータに実行させるためのプログラムにおいて、
所定の記録媒体が他の記録媒体と関連することを示す関連付け情報を前記所定の記録媒体に格納する格納ステップと、
前記撮像装置に装着された第１および第２の記録媒体から関連付け情報をそれぞれ取得する取得ステップと、
前記取得ステップにおいて取得された２つの関連付け情報に基づき、前記第１の記録媒体と前記第２の記録媒体とが関連付けられているか否かを判別する判別ステップと、
前記判別ステップによって関連付けられていると判別されたならば、前記第１の記録媒体に記録された記録情報と前記第２の記録媒体に記録された記録情報とを同一化する同一化ステップと
を有することを特徴とするプログラム。
【発明の詳細な説明】
【技術分野】
【０００１】
本発明は、撮像装置、情報バックアップ方法、及びプログラムに関し、特に、複数の記録媒体を装着可能な撮像装置、該撮像装置に適用される情報バックアップ方法、及び該情報バックアップ方法をコンピュータに実行させるためのプログラムに関する。
【背景技術】
【０００２】
電子式撮像装置では一般に、撮影した画像データを記録する手段として、着脱式の記録媒体が用いられる。
【０００３】
また近年、撮影画像データの誤消去に備えるべく、複数の記録媒体を撮像装置に装着して画像データのバックアップを行うことができる撮像装置も製品化されつつある。例えば、複数の記録媒体を装着可能な電子式撮像装置において、撮影時に第１の記録媒体に記録された画像データを撮影後などの所定のタイミングに第２の記録媒体にコピーしてバックアップを行うものが提案されている（特許文献１参照）。
【特許文献１】特開２００２−１９０９７３号公報
【発明の開示】
【発明が解決しようとする課題】
【０００４】
しかしながら、上記従来の撮影画像のバックアップを行うことができる電子式撮像装置においては、撮像後またはなんらかの情報の記録後にバックアップ処理が行われる。そのため、撮像中またはなんらかの情報の記録中には既にバックアップ用の記録媒体が撮像装置に装着されている必要がある。もし、そうした装着が行われていなかった場合は、撮像後またはなんらかの情報の記録後に、ユーザが、バックアップ用の記録媒体を撮像装置に装着し、改めてバックアップ処理を行わねばならないという煩わしさがあった。
【０００５】
また、バックアップ用記録媒体が一時的に撮像装置から抜き出されているときに、バックアップ用ではない通常の記録媒体の記録更新が行われ、その後に再度バックアップ用記録媒体が撮像装置に装着された場合、記録媒体相互間の記録情報の相違をユーザが把握して、通常の記録媒体とバックアップ用記録媒体との記録情報の同一化（同調）を図らねばならないという煩わしさがあった。
【０００６】
本発明はこのような問題点に鑑みてなされたものであって、バックアップ処理に伴うユーザにとっての作業の煩わしさを解消するようにするとともに、複数の記録媒体間の記録情報の同一化を容易に実現することを図った撮像装置、情報バックアップ方法、及びプログラムを提供することを目的とする。
【課題を解決するための手段】
【０００７】
上記目的を達成するために、請求項１記載の発明によれば、複数の記録媒体を装着可能な撮像装置において、所定の記録媒体が他の記録媒体と関連することを示す関連付け情報を前記所定の記録媒体に格納する格納手段と、前記撮像装置に装着された第１および第２の記録媒体から関連付け情報をそれぞれ取得する取得手段と、前記取得手段によって取得された２つの関連付け情報に基づき、前記第１の記録媒体と前記第２の記録媒体とが関連付けられているか否かを判別する判別手段と、前記判別手段によって関連付けられていると判別されたならば、前記第１の記録媒体に記録された記録情報と前記第２の記録媒体に記録された記録情報とを同一化する同一化手段とを有することを特徴とする撮像装置が提供される。
【０００８】
また、請求項１０記載の発明によれば、複数の記録媒体を装着可能な撮像装置に適用される情報バックアップ方法において、所定の記録媒体が他の記録媒体と関連することを示す関連付け情報を前記所定の記録媒体に格納する格納ステップと、前記撮像装置に装着された第１および第２の記録媒体から関連付け情報をそれぞれ取得する取得ステップと、前記取得ステップにおいて取得された２つの関連付け情報に基づき、前記第１の記録媒体と前記第２の記録媒体とが関連付けられているか否かを判別する判別ステップと、前記判別ステップによって関連付けられていると判別されたならば、前記第１の記録媒体に記録された記録情報と前記第２の記録媒体に記録された記録情報とを同一化する同一化ステップとを有することを特徴とする情報バックアップ方法が提供される。
【０００９】
さらに、上記情報バックアップ方法をコンピュータに実行させるためのプログラムが提供される。
【発明の効果】
【００１０】
本発明によれば、所定の記録媒体が他の記録媒体と関連することを示す関連付け情報を該所定の記録媒体に格納するようにする。これにより、複数の記録媒体にそれぞれ記録される記録情報の同一化を容易に行うことができ、バックアップ処理に伴うユーザにとっての作業の煩わしさを解消できる。
【００１１】
また、バックアップ用の記録媒体が撮像装置から一時的に外され、その間に通常の記録媒体に新たな情報が記録され、その後にバックアップ用記録媒体を再度撮像装置に装着した場合に、通常の記録媒体の記録内容とバックアップ用の記録媒体の記録内容とを比較して相違点を求め、該相違点に基づき、両記録媒体にそれぞれ記録された記録情報の同一化を行う。これにより、再装着後のバックアップを容易に行うことができる。
【発明を実施するための最良の形態】
【００１２】
以下、本発明を実施するための最良の形態について、図面を参照して説明する。
【００１３】
図１は、本発明の一実施の形態に係る撮像装置の構成を示すブロック図である。
【００１４】
同図において、１００は画像処理装置、２００，２１０は画像処理装置１００に着脱される記録媒体、３００はレンズユニットである。
【００１５】
画像処理装置１００において１２は、露光量を制御するためのシャッタ、１４は、シャッタ１２を介して入射された光学像を電気信号に変換する撮像素子である。
【００１６】
レンズ３１０に入射した光線は、一眼レフ方式によって、絞り３１２、レンズマウント３０６，１０６、ミラー１３０、及びシャッタ１２を介して導かれ、光学像として撮像素子１４上に結像する。
【００１７】
１６は、撮像素子１４から出力されたアナログ信号をディジタル信号に変換するＡ／Ｄ変換器である。１８は、撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００１８】
２０は画像処理回路であり、Ａ／Ｄ変換器１６からのデータまたはメモリ制御回路２２からのデータに対して所定の画素補間処理や色変換処理を行う。
【００１９】
また、画像処理回路２０においては、必要に応じて、撮像した画像データを用いて所定の演算処理を行い、得られた演算結果に基づいてシステム制御回路５０が露光制御部４０及び測距部４２に対して制御を行う。この制御によって行われる処理としては、ＴＴＬ（スルー・ザ・レンズ）方式のＡＦ（自動焦点調節）処理、ＡＥ（自動露出調節）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【００２０】
なお、本実施の形態においては、測距部４２及び測光部４６を専用に備える構成としたため、測距部４２及び測光部４６を用いてＡＦ処理、ＡＥ処理、及びＥＦ処理の各処理を行うものであるが、上記画像処理回路２０を用いたＡＦ処理、ＡＥ処理、及びＥＦ処理の各処理を行わない構成としても良い。或いは、測距部４２及び測光部４６を用いてＡＦ処理、ＡＥ処理、及びＥＦ処理の各処理を行い、さらに、上記画像処理回路２０を用いたＡＦ処理、ＡＥ処理、及びＥＦ処理の各処理を行う構成としても良い。
【００２１】
２２はメモリ制御回路であり、Ａ／Ｄ変換器１６、タイミング発生回路１８、画像処理回路２０、画像表示メモリ２４、Ｄ／Ａ変換器２６、メモリ３０、及び圧縮・伸長回路３２を制御する。
【００２２】
Ａ／Ｄ変換器１６から出力されたデータが、画像処理回路２０及びメモリ制御回路２２を介して、またはメモリ制御回路２２を介して、画像表示メモリ２４またはメモリ３０に書き込まれる。
【００２３】
２４は画像表示メモリ、２６はＤ／Ａ変換器、２８はＴＦＴ、ＬＣＤ等から成る画像表示部であり、画像表示メモリ２４に書き込まれた表示用の画像データは、Ｄ／Ａ変換器２６を介して画像表示部２８で表示される。画像表示部２８を用いて、撮像した画像データを逐次表示すれば、電子ファインダ機能を実現することが可能である。
【００２４】
また、画像表示部２８は、システム制御回路５０からの指示に従い画像表示をＯＮ／ＯＦＦし、これにより、画像表示をＯＦＦにした場合には画像処理装置１００の電力消費を大幅に低減することができる。画像表示部２８には、操作部７０の操作に応じて、記録画質モードや、ホワイトバランスモード等のメニューを表示したり、表示している画像の情報を表示したり、記録可能な記録媒体を表示したりする。
【００２５】
３０は、撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０は、システム制御回路５０の作業領域としても使用することが可能である。
【００２６】
３２は、適応離散コサイン変換（ＡＤＣＴ）等により画像データを圧縮伸長する圧縮・伸長回路であり、メモリ３０に格納された画像を読み込んで圧縮処理または伸長処理を行い、処理を終えたデータをメモリ３０に書き込む。
【００２７】
４０はシャッタ制御部であり、測光部４６からの測光情報に基づいて、絞り３１２を制御するための絞り制御部３４０と連携しながら、シャッタ１２を制御する。４２はＡＦ（自動焦点調節）処理を行うための測距部であり、レンズ３１０に入射した光線が、一眼レフ方式によって、絞り３１２、レンズマウント３０６，１０６、ミラー１３０、そして不図示の測距用サブミラーを介して入射される。この光が入射された測距部４２では、光学像を結像し、得られた画像の合焦状態を測定する。
【００２８】
４６はＡＥ（自動露出調節）処理を行うための測光部であり、レンズ３１０に入射した光線が、一眼レフ方式によって、絞り３１２、レンズマウント３０６，１０６、ミラー１３０、そして不図示の測光用レンズを介して入射される。この光が入射された測光部４６では、光学像を結像し、得られた画像の露出状態を測定する。
【００２９】
なお、測光部４６は、露出状態の測定結果と、撮像素子１４によって撮像した画像データを画像処理回路２０によって演算した演算結果とを用いて露出制御を行うようにしてもよい。
【００３０】
５０は、画像処理装置１００全体を制御するシステム制御回路、５２は、システム制御回路５０の動作用の定数や、変数、プログラム等を記憶するメモリである。５４は、ＬＣＤ、ＬＥＤ、ランプ等により構成される表示部であり、システム制御回路５０でのプログラムの実行に応じて、文字、画像等を用いて動作状態やメッセージ等を表示する。表示部５４は、画像処理装置１００の操作部近辺の視認し易い位置に単数または複数個所設置される。
【００３１】
また、表示部５４の一部の機能が光学ファインダ１０４内に設置される。
【００３２】
表示部５４の表示内容のうち、ＬＣＤ等に表示するものとして、例えば、シングルショット／連写撮影表示、セルフタイマー表示、圧縮率表示、記録画素数表示、記録枚数表示、残撮影可能枚数表示、シャッタスピード表示、絞り値表示、露出補正表示、フラッシュ表示、赤目緩和表示、マクロ撮影表示、時計用電池残量表示、電池残量表示、エラー表示、複数桁の数字による情報表示、記録媒体２００及び２１０の着脱状態表示、レンズユニット３００の着脱状態表示、通信Ｉ／Ｆ動作表示、日付・時刻表示、及び外部コンピュータとの接続状態を示す表示等がある。
【００３３】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタスピード表示、絞り値表示、露出補正表示、及び記録媒体書き込み動作表示等がある。
【００３４】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記録媒体書き込み動作表示、マクロ撮影設定通知表示、及び二次電池充電状態表示等がある。
【００３５】
そして、表示部５４の表示内容のうち、ランプ等に表示するものとしては、例えば、セルフタイマー通知ランプ等がある。このセルフタイマー通知ランプは、ＡＦ補助光と共用して用いても良い。
【００３６】
６２、６４、６６、６８及び７０は、システム制御回路５０に対する各種の動作指示を入力するための操作部であり、スイッチ、ダイアル、タッチパネル、視線検知によるポインティング、音声認識装置等の単数或いは複数の組み合わせで構成される。
【００３７】
ここで、これらの操作部の具体的な説明を行う。
【００３８】
６２はシャッタスイッチＳＷ１であり、不図示のシャッタボタンの操作途中（半押し）でＯＮとなり、ＡＦ処理、ＡＥ処理、ＡＷＢ処理、及びＥＦ処理等の動作開始を指示する。
【００３９】
６４はシャッタスイッチＳＷ２であり、不図示のシャッタボタンの操作完了（全押し）でＯＮとなり、露光処理、現像処理、記録処理という一連の処理の動作開始を指示する。この露光処理では、撮像素子１２から読み出した画像データ信号をＡ／Ｄ変換器１６及びメモリ制御回路２２を介してメモリ３０に書き込む。現像処理では、画像処理回路２０やメモリ制御回路２２で演算を行う。記録処理では、メモリ３０から画像データを読み出し、圧縮・伸長回路３２で圧縮を行い、記録媒体２００または記録媒体２１０に画像データを書き込む。
【００４０】
６６は再生スイッチであり、撮影モード状態において、撮影した画像をメモリ３０、記録媒体２００，２１０から読み出して画像表示部２８に表示させる再生動作の開始を指示するためのスイッチである。
【００４１】
６８は単写／連写スイッチであり、シャッタスイッチ（ＳＷ２）６４がＯＮとなった場合に１駒の撮影を行って待機状態とする単写モードと、シャッタスイッチ（ＳＷ２）６４がＯＮとなっている間は連続して撮影を行い続ける連写モードとを設定するためのスイッチである。
【００４２】
７０は各種ボタンやタッチパネル等からなる操作部であり、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。また、画像表示部２８のＯＮ／ＯＦＦを設定するための画像表示ＯＮ／ＯＦＦスイッチ、撮影直後に撮影した画像データを自動再生するクイックレビュー機能を設定するためのクイックレビューＯＮ／ＯＦＦスイッチを備えている。
【００４３】
上記のほかに、図示を省略したが、再生スイッチやＡＦモード設定スイッチ等が設けられる。再生スイッチは、再生モード、マルチ画面再生モード、ＰＣ接続モード等の各機能モードを設定するためのスイッチである。また、ＡＦモード設定スイッチは、シャッタスイッチ（ＳＷ１）６２がＯＮのとき自動焦点調節動作を開始し、一旦合焦したならばその合焦状態を保ち続けるワンショットＡＦモードと、シャッタスイッチ（ＳＷ１）６２がＯＮの間は連続して自動焦点調節動作を続けるサーボＡＦモードとを設定するためのスイッチである。
【００４４】
７１は記録媒体内情報比較部であり、複数の記録媒体にそれぞれ記録された情報（画像データ）比較し、その相違点を検出する。
【００４５】
７２は電源スイッチであり、画像処理装置１００の電源オンや、電源オフの各モードを切り替え設定することができる。また、画像処理装置１００に接続されたレンズユニット３００、外部ストロボ（図示せず）、記録媒体２００，２１０等の各種付属装置の電源オン、電源オフの設定も合わせて切り替え設定することができる。
【００４６】
７３は記録媒体関連情報処理部であり、記録媒体どうしを関連づけるための関連付け情報を作成したり、解析したりする。
【００４７】
７４は記録媒体同調処理部であり、複数の記録媒体にそれぞれ記録された情報（画像データ）を同一化（同調）するための処理を行う。
【００４８】
８０は電源制御部であり、電池検出回路、ＤＣ−ＤＣコンバータ、通電すべきブロックを切り替えるためのスイッチ回路等により構成されており、電池の装着の有無や、電池の種類、電池残量の検出を行い、検出結果及びシステム制御回路５０の指示に基づいてＤＣ−ＤＣコンバータを制御し、必要な電圧をもった電流を必要な期間、記録媒体２００，２１０を含む各部へ供給する。
【００４９】
８２，８４はコネクタ、８６は電源部である。電源部８６は、アルカリ電池やリチウム電池等の一次電池、ＮｉＣｄ電池、ＮｉＭＨ電池、Ｌｉ電池等の二次電池、ＡＣアダプター等からなる。
【００５０】
１０４は光学ファインダであり、レンズ３１０に入射した光線が、一眼レフ方式によって、絞り３１２、レンズマウント３０６，１０６、及びミラー１３０，１３２を介して導かれ、光学像として結像表示する。光学ファインダ１０４では、画像表示部２８による電子ファインダ機能を使用すること無しに被写体が表示されるので、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタスピード表示、絞り値表示、露出補正表示などが行われる。
【００５１】
１２０は、レンズマウント１０６内において、画像処理装置１００をレンズユニット３００と接続するためのインターフェース、１２２は、画像処理装置１００をレンズユニット３００と電気的に接続するためのコネクタである。
【００５２】
コネクタ１２２は、画像処理装置１００とレンズユニット３００との間で制御信号、状態信号、データ信号等を伝え合うと共に、各種電圧の電流を供給する機能も備えている。なお、コネクタ１２２は、電気通信のみならず、光通信や音声通信等を伝達する構成としても良い。
【００５３】
１３０、１３２はミラーであり、レンズ３１０に入射した光線を、一眼レフ方式によって光学ファインダ１０４に導く。なお、ミラー１３２は、クイックリターンミラーの構成としても、ハーフミラーの構成としてもよい。
【００５４】
３００は、交換レンズタイプのレンズユニットである。３０６は、レンズユニット３００を画像処理装置１００と機械的に結合するためのレンズマウントである。レンズマウント３０６内には、レンズユニット３００を画像処理装置１００と電気的に接続する各種機能が含まれている。
【００５５】
３１０は撮影レンズ、３１２は絞りである。３２０は、レンズマウント３０６内において、レンズユニット３００を画像処理装置１００と接続するためのインターフェース、３２２は、レンズユニット３００を画像処理装置１００と電気的に接続するコネクタである。
【００５６】
コネクタ３２２は、画像処理装置１００とレンズユニット３００との間で制御信号、状態信号、データ信号等を伝え合うと共に、各種電圧の電流を供給される或いは供給する機能も備えている。なお、コネクタ３２２は、電気通信のみならず、光通信、音声通信等を伝達する構成としても良い。
【００５７】
３４０は絞り制御部であり、測光部４６からの測光情報に基づいて、シャッタ１２を制御するシャッタ制御部４０と連携しながら、絞り３１２を制御する。
【００５８】
３４２は、撮影レンズ３１０のフォーカシングを制御する測距制御部、３４４は、撮影レンズ３１０のズーミングを制御するズーム制御部である。
【００５９】
３５０は、レンズユニット３００全体を制御するレンズ制御部である。レンズ制御部３５０は、動作用の定数、変数、プログラム等を記憶するメモリと、レンズユニット３００固有の番号等の識別情報、管理情報、開放絞り値や最小絞り値、焦点距離等の機能情報、及び現在や過去の各設定値などを保持する不揮発メモリの機能も備えている。
【００６０】
９０及び９４は、記録媒体２００，２１０とのインターフェース、９２及び９６は、記録媒体２００，２１０と接続を行うためのコネクタ、９８は記録媒体着脱検知部である。記録媒体着脱検知部９８は、コネクタ９２，９６に記録媒体２００，２１０がそれぞれ装着されているか否かを検知する。
【００６１】
なお、本実施の形態では、記録媒体を装着するためのインターフェース及びコネクタが２系統備えられるものとして説明しているが、これらは、３系統以上備える構成としてもよい。また、異なる規格のインターフェース及びコネクタを組み合わせて備える構成としてもよい。インターフェース及びコネクタとしては、ＰＣＭＣＩＡカードやＣＦ（コンパクトフラッシュ（登録商標））カード等の規格に準拠したものを用いて構成してよい。
【００６２】
さらに、インターフェース９０，９４およびコネクタ９２，９６を、ＰＣＭＣＩＡカードやＣＦカード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の各種通信カードを接続することにより、他のコンピュータやプリンタ等の周辺機器との間で画像データや画像データに付属した管理情報を転送し合うことができる。
【００６３】
２００は、メモリカードやハードディスク等の記録媒体である。記録媒体２００は、半導体メモリや磁気ディスク等から構成される記録部２０２、インターフェース２０４、及びコネクタ２０６を備えている。
【００６４】
２１０は、メモリカードやハードディスク等の記録媒体である。記録媒体２１０は、半導体メモリや磁気ディスク等から構成される記録部２１２、インターフェース２１４、及びコネクタ２１６を備えている。
【００６５】
図２および図３は、図１に示す撮像装置のシステム制御回路５０において行われる記録媒体どうしの関連付け処理の手順を示すフローチャートである。なお、この関連付け処理は、撮影完了時、記録媒体の画像処理装置１００への装着時、およびユーザによって本処理の実行指示があったときに実行される。またなお、この関連付け処理には記録媒体同調処理が含まれる。
【００６６】
ステップＳ２０１で、システム制御回路５０は、記録媒体着脱検知部９８からの入力信号に基づき、記録媒体２００，２１０が共に、コネクタ９２，９６にそれぞれ装着されているか否かを判断する。その結果、記録媒体２００と記録媒体２１０とのうちの一方だけが装着されている状態か、または両方共に装着されていない状態であるならば、ステップＳ２２０に進み、他の制御ＳＷに関する制御を行う。一方、記録媒体２００と記録媒体２１０とが共にコネクタ９２，９６にそれぞれ装着されていれば、ステップＳ２０２に進む。
【００６７】
ステップＳ２０２では、システム制御回路５０が、インターフェース９０およびインターフェース９４を介して記録媒体２００と記録媒体２１０とから関連付け情報をそれぞれ読み込む。この関連付け情報は、後述のステップＳ２１１で記録媒体ごとに作成され、ステップＳ２１２で記録媒体に記録されるものであり、どの記録媒体と関連しているか（互いに同一の画像データを記録するバックアップの関係にあるか）を示す情報である。なお、この関連付け情報には、自記録媒体の記憶容量を示す付加情報も付加されており、ステップＳ２０２で関連付け情報を読み込むときに同時に付加情報も読み込む。
【００６８】
ステップＳ２０３では、記録媒体関連情報処理部７３が、ステップＳ２０２で読み込まれた２つの関連付け情報を解析する。
【００６９】
ステップＳ２０４では、システム制御回路５０が、記録媒体２００と記録媒体２１０とが関連しているか（互いに同一の画像データを記録するバックアップの関係にあるか）を判断し、関連しているならばステップＳ２０５に進み、関連していないならばステップＳ２０６に進む。ステップＳ２０５では、記録媒体２００と記録媒体２１０とで記録情報（画像データ）を同一化する記録媒体同調処理を行うが、これの詳細については図４を参照して後述する。
【００７０】
ステップＳ２０６では、システム制御回路５０が、記録媒体２００と記録媒体２１０とを関連付けるか（互いに同一の画像データを記録するバックアップの関係にするか）否かの第１の選択画面を画像表示部２８または表示部５４に表示する。
【００７１】
図５は、第１の関連付け選択画面の一例を示す図である。
【００７２】
この第１の関連付け選択画面には、記録媒体（１）２００および記録媒体（２）２１０に既にそれぞれ関連付けられている記録媒体が表示される。
【００７３】
第１の関連付け選択画面を見たユーザが、操作部７０のメニュー移動＋（プラス）ボタン、メニュー移動−（マイナス）ボタン、セットボタンを用いて、記録媒体（１）２００と記録媒体（２）２１０とを関連付けるか否かの指示を行う。
【００７４】
この指示が、関連付ける（Ｙｅｓ）ならばステップＳ２０７へ進み、関連付けない（Ｎｏ）ならばステップＳ２２０に進んで、他の制御ＳＷに関する制御を行う。
【００７５】
ステップＳ２０７では、ステップＳ２０２で関連付け情報とともに読み込まれた付加情報に基づき、システム制御回路５０が、記録媒体２００の記憶容量と記録媒体２１０の記憶容量とを比較する。
【００７６】
ステップＳ２０８では、ステップＳ２０７での比較の結果、記録媒体２００の記憶容量と記録媒体２１０の記憶容量とが異なるならばステップＳ２０９に進み、同一ならばステップＳ２１１に進む。
【００７７】
ステップＳ２０９では、記録媒体２００の記憶容量と記録媒体２１０の記憶容量とが異なると、記録媒体２００の記録情報と記録媒体２１０の記録情報とを完全に同一化（同調）させることができない可能性があるので、システム制御回路５０が、その旨の警告を画像表示部２８または表示部５４に表示する。
【００７８】
つぎのステップＳ２１０では、システム制御回路５０が、上記のように完全に同一化（同調）させることができないかもしれないことを承知の上で記録媒体２００と記録媒体２１０とを関連付けたいというユーザの意思があるか否かの選択画面を画像表示部２８または表示部５４に表示する。
【００７９】
図６は、第２の関連付け選択画面の一例を示す図である。
【００８０】
この第２の関連付け選択画面には、記録媒体（１）２００および記録媒体（２）２１０の記憶容量が表示される。
【００８１】
第２の関連付け選択画面を見たユーザが、操作部７０のメニュー移動＋（プラス）ボタン、メニュー移動−（マイナス）ボタン、セットボタンを用いて、記録媒体（１）２００と記録媒体（２）２１０とを関連付けるか否かの指示を行う。
【００８２】
この指示が、関連付ける（Ｙｅｓ）ならばステップＳ２１１へ進み、関連付けない（Ｎｏ）ならばステップＳ２２０に進んで、他の制御ＳＷに関する制御を行う。
【００８３】
ステップＳ２１１では、記録媒体関連情報処理部７３が、記録媒体（１）２００と記録媒体（２）２１０とを関連付けるための関連付け情報を作成する。すなわち、記録媒体（２）２１０と関連する（互いに同一の画像データを記録するバックアップの関係にある）旨を示す関連付け情報が記録媒体（１）２００用に作成されるとともに、記録媒体（１）２００と関連する旨を示す関連付け情報が記録媒体（２）２１０用に作成される。
【００８４】
ステップＳ２１２では、システム制御回路５０が、ステップＳ２１１で作成された各関連付け情報をインターフェース９０およびインターフェース９４を介して記録媒体２００および記録媒体２１０にそれぞれ記録するとともに、メモリ３０にも記憶する。
【００８５】
ステップＳ２１２で記録媒体２００および記録媒体２１０にそれぞれ記録された各関連付け情報は、次回にステップＳ２０２〜Ｓ２０４が実行されるときに備えられる。
【００８６】
図４は、図２のステップＳ２０５で実行される記録媒体同調処理の詳しい内容を示すフローチャートである。
【００８７】
ステップＳ３０１で、システム制御回路５０が、インターフェース９０およびインターフェース９４を介して記録媒体２００および記録媒体２１０の記録情報（画像データ）をそれぞれ読み込み、記録媒体内情報比較部７１が、それらの記録情報を比較し、その相違点を検出する。
【００８８】
ステップＳ３０２では、システム制御回路５０が、ステップＳ３０１で検出された相違点を画像表示部２８あるいは表示部５４に表示する。
【００８９】
図７は、記録媒体（１）２００と記録媒体（２）２１０とにおける記録情報の相違点を示す画面の一例である。この画面では、ディレクトリ構造を構成する各部を用いて相違点を表している。
【００９０】
この相違点表示画面を見たユーザが、操作部７０のメニュー移動＋（プラス）ボタン、メニュー移動−（マイナス）ボタン、セットボタンを用いて、記録媒体（１）２００と記録媒体（２）２１０とにそれぞれ記録された記録情報（画像データ）を同一化（同調）するか否かの指示を行う。
【００９１】
ステップＳ３０３では、こうしたユーザの指示が同調処理を行う（Ｙｅｓ）という指示であればステップＳ３０４に進み、同調処理を行わない（Ｎｏ）という指示であればステップＳ３２０に進んで、他の制御ＳＷに関する制御を行う。
【００９２】
ステップＳ３０４では、システム制御回路５０が、同調方法を選択するための同調方法選択画面を画像表示部２８あるいは表示部５４に表示する。
【００９３】
図８は、同調方法選択画面の一例を示す図である。
【００９４】
同調方法として、例えば、（１）２つの記録媒体のうちの一方に合わせるようにして同調後の記録情報を作成する、（２）双方のマージ（併合）により同調後の記録情報を作成する、（３）記録媒体内の記録情報の指定した一部、例えばディレクトリ構造を構成する各部のうちの指定の部分だけにおいて同調を行う、（４）記録媒体内の記録情報の指定した一部、例えば指定のファイルだけにおいて同調を行う、等が選択可能である。
【００９５】
また、記録媒体内に書き込み禁止データがある場合に、その書き込み禁止画像以外を同調させたり、また、書込み禁止画像も同調させたりするといった選択を行うようにしてもよい。
【００９６】
この同調方法選択画面を見たユーザが、操作部７０のメニュー移動＋（プラス）ボタン、メニュー移動−（マイナス）ボタン、セットボタンを用いて、同調方法を選択指示する。なお、このユーザによる同調方法の選択指示が、上記「（３）ディレクトリ構造を構成する各部のうちの指定の部分だけにおいて同調を行う」であるときには、図９に示すディレクトリ指定画面が画像表示部２８あるいは表示部５４に表示され、この画面を見たユーザによって、ディレクトリ構造の構成部分の指定が行なわれる。
【００９７】
ステップＳ３０５では、システム制御回路５０が、ユーザによって同調方法の選択指示が行われたか否かを判別し、選択指示が行われたならばステップＳ３０６へ進み、行われなければステップＳ３０４へ戻る。
【００９８】
ステップＳ３０６では、ステップＳ３０４で選択指示された同調方法により、記録媒体同調処理部７４が、記録媒体２００と記録媒体２１０とにそれぞれ記録された情報（画像データ）を同一化（同調）するための処理を行って、同調後記録情報を作成し、メモリ７０に記憶する。
【００９９】
ステップＳ３０７では、システム制御回路５０が、ステップＳ３０６で作成された同調後記録情報を記録媒体（１）２００の記録情報と比較し、同一であればステップＳ３０９へ進み、同一でなければステップＳ３０８へ進む。
【０１００】
ステップＳ３０８では、システム制御回路５０が、インターフェース９０を介して記録媒体２００に同調後記録情報を送り、記録媒体２００の元情報に上書き記録する。
【０１０１】
ステップＳ３０９では、システム制御回路５０が、ステップＳ３０６で作成された同調後記録情報を記録媒体（２）２１０の記録情報と比較し、同一であれば本記録媒体同調処理を終了し、同一でなければステップＳ３１０へ進む。
【０１０２】
ステップＳ３１０では、システム制御回路５０が、インターフェース９４を介して記録媒体２１０に同調後記録情報を送り、記録媒体２１０の元情報に上書き記録する。
【０１０３】
このようにして、本実施の形態では、バックアップ処理に伴うユーザにとっての作業の煩わしさが解消されるとともに、複数の記録媒体間の記録情報の同一化（同調）を容易に実現することができる。
【０１０４】
〔他の実施の形態〕
上記実施の形態では、記録媒体２００及び記録媒体２１０は、ＰＣＭＣＩＡカード、コンパクトフラッシュ（登録商標）等のメモリカードや、ハードディスク等で構成されているが、これに代わって、マイクロＤＡＴ、光磁気ディスク、ＣＤ−ＲやＣＤ−ＷＲ等の光ディスク、ＤＶＤ等の相変化型光ディスク等で構成するようにしてもよい。
【０１０５】
また、記録媒体２００及び記録媒体２１０は、メモリカードとハードディスク等が一体となった複合媒体であってもよい。さらに、その複合媒体から一部が着脱可能な構成としてもよい。
【０１０６】
また、上記実施の形態では、記録媒体２００及び記録媒体２１０が画像処理装置１００と分離していて任意に接続可能なものとして説明したが、何れかまたは全ての記録媒体が画像処理装置１００に固定したままとなっていてもよい。
【０１０７】
また、上記実施の形態では、画像処理装置１００に記録媒体２００及び記録媒体２１０の２つが装着される構成として説明したが、画像処理装置１００に３つ以上の記録媒体が装着可能な構成であってもよい。
【０１０８】
さらに、本発明の目的は、上記の実施の形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【０１０９】
この場合、記憶媒体から読み出されたプログラムコード自体が前述した実施の形態の機能を実現することになり、そのプログラムコード及び該プログラムコードを記憶した記憶媒体は本発明を構成することになる。
【０１１０】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【０１１１】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【０１１２】
更に、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【図面の簡単な説明】
【０１１３】
【図１】本発明の一実施の形態に係る撮像装置の構成を示すブロック図である。
【図２】図１に示す撮像装置のシステム制御回路において行われる記録媒体どうしの関連付け処理の手順を示すフローチャート（１／２）である。
【図３】図１に示す撮像装置のシステム制御回路において行われる記録媒体どうしの関連付け処理の手順を示すフローチャート（２／２）である。
【図４】図２のステップＳ２０５で実行される記録媒体同調処理の詳しい内容を示すフローチャートである。
【図５】第１の関連付け選択画面の一例を示す図である。
【図６】第２の関連付け選択画面の一例を示す図である。
【図７】記録媒体（１）と記録媒体（２）とにおける記録情報の相違点を示す画面の一例である。
【図８】同調方法選択画面の一例を示す図である。
【図９】ディレクトリ指定画面の一例を示す図である。
【符号の説明】
【０１１４】
５０：システム制御回路
７０：操作部
７１：記録媒体内情報比較部
７３：記録媒体関連情報処理部（格納手段、判別手段）
７４：記録媒体同調処理部（同一化手段）
９０：インターフェース
９２：コネクタ
９４：インターフェース
９６：コネクタ
９８：記録媒体着脱検知部
１００：画像処理装置（格納手段、取得手段）
２００：記録媒体
２０２：記録部
２０４：インターフェース
２０６：コネクタ
２１０：記録媒体
２１２：記録部
２１４：インターフェース
３００：レンズユニット
【図１】
2006345417.tif 000003
【図２】
2006345417.tif 000004
【図３】
2006345417.tif 000005
【図４】
2006345417.tif 000006
【図５】
2006345417.tif 000007
【図６】
2006345417.tif 000008
【図７】
2006345417.tif 000009
【図８】
2006345417.tif 000010
【図９】
2006345417.tif 000011